(57)【要約】【課題】機能的かつデザイン性に優れた売買支援ツールを提供する。【解決手段】設定部１６は、第１売買指標の値を第１軸に設定し、第１売買指標と異なる第２売買指標の値を第２軸に設定し、それら売買指標算出の時間軸を示す値を第３軸に設定する。描画処理部１８は、第３軸に設定された値により特定される、第１軸および第２軸により形成される面において、第１軸に設定された値と第２軸に設定された値の交点に所定のシンボル図形を描画する。設定部１６は、異なる複数の時間軸の第１売買指標および第２売買指標の値を設定する。描画処理部１８は、複数の面に描画したシンボル図形を時間軸順に結んで３次元オブジェクトを生成する。【選択図】図１
2014021819.tif 000002
【特許請求の範囲】
【請求項１】
価格変動する商品の売買判断に利用されるべき売買指標を画面に立体的に描画する売買指標描画装置であって、
第１売買指標の値を第１軸に設定し、第１売買指標と異なる第２売買指標の値を第２軸に設定し、それら売買指標算出の時間軸を示す値を第３軸に設定する設定部と、
前記第３軸に設定された値により特定される、前記第１軸および前記第２軸により形成される面において、前記第１軸に設定された値と前記第２軸に設定された値の交点に所定のシンボル図形を描画する描画処理部と、を備え、
前記設定部は、異なる複数の時間軸の前記第１売買指標および前記第２売買指標の値を設定し、
前記描画処理部は、複数の面に描画したシンボル図形を時間軸順に結んで３次元オブジェクトを生成することを特徴とする売買指標描画装置。
【請求項２】
前記描画処理部は、時間軸が長い面に描画するシンボル図形ほど、サイズを大きく設定することを特徴とする請求項１に記載の売買指標描画装置。
【請求項３】
前記商品は金融商品であり、前記売買指標はテクニカル指標であり、
前記設定部は、ある銘柄の二種類のテクニカル指標の値と、それらテクニカル指標算出の時間軸を示す値を設定することを特徴とする請求項１または２に記載の売買指標描画装置。
【請求項４】
前記金融商品の時価情報を配信するサーバからネットワークを介して時価情報を取得する時価取得部と、
取得される時価情報をもとに前記複数の時間軸の前記第１売買指標および前記第２売買指標の値をリアルタイムに算出し、前記設定部に渡す指標算出部と、をさらに備え、
前記描画処理部は、前記設定部から設定される値の変化に応じて、前記３次元オブジェクトをリアルタイムに変化させることを特徴とする請求項３に記載の売買指標描画装置。
【請求項５】
価格変動する商品の売買判断に利用されるべき売買指標を画面に立体的に表示させるコンピュータプログラムであって、
第１売買指標の値を第１軸に設定し、第１売買指標と異なる第２売買指標の値を第２軸に設定し、それら売買指標算出の時間軸を示す値を第３軸に設定する設定機能と、
前記第３軸に設定された値により特定される、前記第１軸および前記第２軸により形成される面において、前記第１軸に設定された値と前記第２軸に設定された値の交点に所定のシンボル図形を描画する描画処理機能と、をコンピュータに実現させ、
前記設定機能は、異なる複数の時間軸の前記第１売買指標および前記第２売買指標の機能を設定し、
前記描画処理機能は、複数の面に描画したシンボル図形を時間軸順に結んで３次元オブジェクトを生成することを特徴とするコンピュータプログラム。
【発明の詳細な説明】
【技術分野】
【０００１】
本発明は、株や為替などの投資判断に利用される売買指標を描画する売買指標描画装置およびプログラムに関する。
【背景技術】
【０００２】
株や為替などの金融商品を売買する際、多くの投資家は、何らかの売買指標を判断材料として売買する。売買指標には大別するとファンダメンタル指標とテクニカル指標がある。テクニカル指標だけを考えても多くの種類がある。また一つのテクニカル指標についても時間軸を変えることにより複数の値が算出される。
【０００３】
テクニカル指標を重視する投資家は、チャート画面を表示させながら売買するものが多い。特にスキャルピングトレード、デイトレード、スイングトレードなど時間軸の短いトレードを好む投資家は、リアルタイムチャートを表示させながら売買するものが多い。そのリアルタイムチャートにテクニカル指標を表示させて、売買タイミングを図る際の参考としているものも多い。
【０００４】
一般的なチャートは、時間経過とともに左から右へローソク足が追加されていくフォーマットである。ユーザの好みによりチャート内に、移動平均線などのトレンド系指標、ＲＳＩなどのオシレータ系指標が追加される。国により若干の違いはあるが、左から右に、値動きを示すローソク足やバーなどが追加されていく基本フォーマットは共通である。
【０００５】
一般的なチャートは時間軸ごとに形成可能である。即ち、各銘柄に対して様々な時間軸のチャート、例えば、ティックチャート、１分足チャート、５分足チャート、１５分足チャート、１時間足チャート、４時間足チャート、日足チャート、週足チャート、月足チャートが形成可能である。投資家は時間軸の異なるチャートを見ることにより、短期トレンド、中期トレンド、長期トレンドを把握できる。
【先行技術文献】
【特許文献】
【０００６】
【特許文献１】特開２００４−１９９６２９号公報
【発明の概要】
【発明が解決しようとする課題】
【０００７】
一般的なフォーマットのチャートにおいて、時間軸の異なるチャートを表示させるには、画面を切り替えるか、画面を分割するか、大きなディスプレイに交換するか、ディスプレイを増設する必要がある。画面を切り替えるのは煩雑なユーザ操作が必要となる。また画面切替にかかる時間が売買タイミングの遅れにつながりやすい。画面を分割するのは個々のチャートが小さくなって視認性が低下する。ディスプレイを大きくするまたは増設するのはコストがかかる。そこで時間軸の異なる複数のチャートを表示させずに、短期トレンド、中期トレンド、長期トレンドを瞬時に把握できるツールが存在すれば便利である。
【０００８】
ところで金融業界にとって投資家層の裾野を広げることは大きなテーマである。投資家層が広がれば、マーケットの多様性および流動性が増し、市場の活性化および安定化につながる。既存のチャートは機能的なツールではあるが、無味乾燥であり、投資に興味のない層を惹きつける魅力的なものとはいえない。特に数学が嫌いな人や女性には敬遠されがちである。初心者を惹きつける魅力的なトレーディングツールや分析ツールがあれば、投資家層拡大の起爆剤として期待できる。
【０００９】
本発明はこうした状況に鑑みなされたものであり、その目的は、機能的かつデザイン性に優れた売買支援ツールを提供することにある。
【課題を解決するための手段】
【００１０】
上記課題を解決するために、本発明のある態様の売買指標描画装置は、価格変動する商品の売買判断に利用されるべき売買指標を画面に立体的に描画する売買指標描画装置であって、第１売買指標の値を第１軸に設定し、第１売買指標と異なる第２売買指標の値を第２軸に設定し、それら売買指標算出の時間軸を示す値を第３軸に設定する設定部と、第３軸に設定された値により特定される、第１軸および第２軸により形成される面において、第１軸に設定された値と第２軸に設定された値の交点に所定のシンボル図形を描画する描画処理部と、を備える。設定部は、異なる複数の時間軸の第１売買指標および第２売買指標の値を設定し、描画処理部は、複数の面に描画したシンボル図形を時間軸順に結んで３次元オブジェクトを生成する。
【００１１】
なお、以上の構成要素の任意の組み合わせ、本発明の表現を方法、装置、システム、記録媒体、コンピュータプログラムなどの間で変換したものもまた、本発明の態様として有効である。
【発明の効果】
【００１２】
本発明によれば、機能的かつデザイン性に優れた売買支援ツールを提供できる。
【図面の簡単な説明】
【００１３】
【図１】本発明の実施の形態に係る売買指標表示システムの構成を示す図である。
【図２】ＲＳＩの値と移動平均乖離率の値の交点に、シンボル図形をプロットする様子を示す図である。
【図３】図２のシンボル図形Ｓ１〜Ｓ５を時間軸の順番で結ぶ様子を示す図である。
【図４】３次元の売買指標表示フィールドの一例を示す図である。
【図５】図４の売買指標表示フィールドを真上から観察した図である。
【図６】本発明の実施の形態に係る売買指標描画装置の動作を説明するためのフローチャートである。
【発明を実施するための形態】
【００１４】
図１は、本発明の実施の形態に係る売買指標表示システム５００の構成を示す図である。売買指標表示システム５００は、売買指標描画装置１００および端末装置２００を備える。売買指標描画装置１００と端末装置２００はネットワーク３００により接続される。本実施の形態では売買指標描画装置１００として証券会社、ＦＸなどの取引業者により構築される少なくとも一つのサーバを想定する。端末装置２００はデスクトップＰＣ、ノートＰＣ、タブレットＰＣ、スマートフォン、携帯電話機、ＰＨＳ、携帯型音楽プレーヤなどが該当する。ネットワーク３００はインターネットを想定する。
【００１５】
売買指標描画装置１００は金融商品の売買判断に利用されるべき売買指標を算出し、描画する装置である。金融商品には、個別株、ＥＴＦ、投資信託、株価指数先物、株価指数オプション、ワラント、為替、コモディティなど価格変動を伴う金融商品全般が含まれる。売買指標はファンダメンタル指標とテクニカル指標に大別される。
【００１６】
ファンダメンタル指標は取引対象の実体的価値にもとづく指標である。個別株（以下、単に株という）の場合、ＰＥＲ、ＰＢＲ、ＲＯＥ、配当利回り、売上、営業利益、経常利益、最終利益（税引き後）、ＥＰＳ、経常利益変化率、自己資本比率などが該当する。為替の場合、二国間の金利差、二国間の貿易収支などが該当する。
【００１７】
テクニカル指標は取引対象の価格または出来高にもとづく指標である。テクニカル指標はトレンド系指標とオシレータ系指標に大別される。通常、トレンド系指標は順張りに利用され、オシレータ系指標は逆張りに利用される。トレンド系指標には移動平均線、ボリンジャーバンド、一目均衡表、パラボリックなどがある。オシレータ系指標には、ＲＳＩ、ストキャスティクス、ＭＡＣＤ、移動平均線乖離率などがある。なお、トレンド系指標とオシレータ系指標の両方の性格を合わせ持つテクニカル指標も多く、この分類は便宜的なものである。
【００１８】
売買指標描画装置１００は、制御部１０、記憶部２０および通信部３０を備える。制御部１０は売買指標描画装置１００の全体を統括的に制御する。記憶部２０はＨＤＤ、ＳＳＤなどで構成され、各種のプログラムおよびデータを保持する。通信部３０はネットワーク３００に接続するためのインタフェースである。
【００１９】
端末装置２００は、通信部５０、制御部６０、記憶部７０、表示部８０および操作部９０を備える。通信部５０はネットワーク３００に接続するためのインタフェースである。端末装置２００とネットワーク３００とは有線で接続されてもよいし、無線で接続されてもよい。制御部６０は端末装置２００の全体を統括的に制御する。記憶部７０はＨＤＤ、ＳＳＤなどで構成され、各種のプログラムおよびデータを保持する。表示部８０は液晶ディスプレイ、有機ＥＬディスプレイなどで構成され、制御部６０から供給される表示データを表示する。操作部９０はキーボード、マウス、物理キー、タッチパネルディスプレイ、音声入力などで構成され、ユーザの操作を受け付け、対応する操作信号を制御部６０に出力する。
【００２０】
売買指標描画装置１００の制御部１０は、データ取得部１２、指標算出部１４、設定部１６および描画処理部１８を含む。これらの構成は、ハードウェア的には、任意のプロセッサ、メモリ、その他のＬＳＩで実現でき、ソフトウェア的にはメモリにロードされたプログラムなどによって実現されるが、ここではそれらの連携によって実現される機能ブロックを描いている。したがって、これらの機能ブロックがハードウェアのみ、ソフトウェアのみ、またはそれらの組み合わせによっていろいろな形で実現できることは、当業者には理解されるところである。
【００２１】
データ取得部１２は、価格情報を配信する図示しないサーバから、ネットワーク３００または図示しない専用線を介して取引対象の価格情報をリアルタイムに取得する。株の場合、証券取引所のサーバから株価の時価データを取得する。為替の場合、基本的に大手銀行または大手証券会社が提示するビッドレート、アスクレートを取得する。データ取得部１２は、取得した価格情報を記憶部２０に保存するとともに、指標算出部１４に渡す。
【００２２】
指標算出部１４は、ある銘柄の最新の価格とその銘柄の過去の価格をもとに二種類の売買指標を算出する。なお出来高系の売買指標を算出する場合は、価格ではなく出来高を使用する。本実施の形態では、二種類の売買指標をそれぞれ、異なる複数の時間軸で算出する。例えば、短期、中期、長期の三つの時間軸で算出する。短期投資家（スキャルピングトレーダ、デイトレーダ、スイングトレーダ）は相対的に短い時間軸のチャートを使用する。中長期投資家は相対的に長い時間軸のチャートを使用する。
【００２３】
チャートの記述方法の代表的なものに、ローソク足チャート、バーチャート、ラインチャートがある。日本ではローソク足チャートが主流である。ローソク足とは単位期間における始値、終値、高値、安値を、一本の棒とその棒から上下に延びる線（一般的にヒゲと呼ぶれる）で表すチャートの記述方法である。テクニカル指標を算出する場合、基本的にローソク足の終値を使用する。ローソク足の時間軸には、ティック足、１分足、５分足、１５足、１時間足、４時間足、日足、週足、月足などがある。日足は１日の値動きの始値、終値、高値、安値を示す。５分足は５分間の値動きの始値、終値、高値、安値を示す。日足は一日に一本形成される。ティック足、分足および時間足は一日に複数本形成される。週足は一週間に一本、月足はひと月に一本形成される。
【００２４】
以下、本実施の形態では第１売買指標としてＲＳＩを、第２売買指標として移動平均乖離率を採用し、それぞれ１分足、５分足、１５分足、１時間足、日足を算出する例を説明する。下記式（１）はＲＳＩの算出式を示す。
【００２５】
ＲＳＩ＝過去ｎ本の値上がり幅平均÷（過去ｎ本の値上がり幅平均＋過去ｎ本の値下がり幅平均）×１００  …式（１）
ｎは設計者またはユーザにより設定変更なパラメータである。一般的に１４が使用される。
【００２６】
１分足では１４分間に生成される１４本の足をもとにＲＳＩが算出される。同様に５分足では７０分間に生成される１４本の足をもとに、１５分足では２１０分間に生成される１４本の足をもとに、１時間足では１４時間に生成される１４本の足をもとに、日足では１４日間で生成される１４本の足をもとに、それぞれＲＳＩが算出される。
【００２７】
ＲＳＩは０〜１００の間の数値が算出される。一般的にＲＳＩが２０または３０以下で売られすぎ、７０または８０以上で買われすぎと判定される。ＲＳＩは通常、逆張り指標として使用されるため、２０または３０以下で買いシグナル、７０または８０以上で売りシグナルが発生する。
【００２８】
下記式（２）は移動平均乖離率の算出式を示す。
【００２９】
移動平均乖離率＝（現在値−ｎ本移動平均）÷ｎ本移動平均×１００  …式（２）
ｎは設計者またはユーザにより設定変更なパラメータである。本実施の形態ではＲＳＩに合わせて１４を使用する。
【００３０】
移動平均乖離率の数値範囲は理論的には無制限であるが、過去の対象銘柄の値動きとｎの値に応じたヒストリカルデータから導かれる数値範囲がある。以下、本明細書ではその数値範囲を−ｙ＜０＜＋ｙと表す。現在値が移動平均値より高い場合は移動平均乖離率が正になり、現在値が移動平均値より低い場合は移動平均乖離率は負になる。株価や為替の値は移動平均に回帰していく傾向があるため、移動平均乖離率が正の値であり、その絶対値が大きいほど下落する期待度が高くなり、移動平均乖離率が負の値であり、その絶対値が大きいほど上昇する期待度が高くなる。
【００３１】
設定部１６は、第１売買指標の値を第１軸に設定し、第２売買指標の値を第２軸に設定し、それら売買指標算出の時間軸を示す値を第３軸に設定する。本実施の形態ではＲＳＩの値を縦軸に設定し、移動平均乖離率の値を横軸に設定する。１分、５分、１５分、１時間、１日を高さ軸に設定する。合計１０種類の値を設定する。
【００３２】
描画処理部１８は、第３軸に設定された値により特定される、第１軸および第２軸により形成される面において、第１軸に設定された値と第２軸に設定された値の交点に所定のシンボル図形を描画する。本実施の形態では高さ軸の値が１分に対応する、縦軸と横軸により形成される面において、ＲＳＩの値と移動平均乖離率の値の交点にシンボル図形を描画する。同様に高さ軸の値が５分、１５分、１時間、１日のそれぞれに対応する面において、それぞれのシンボル図形を描画する。シンボル図形には例えば、その交点を重心とする円、球、立方体などの図形を採用できる。
【００３３】
描画処理部１８は、時間軸が長い面に描画するシンボル図形ほど、サイズを大きく設定する。テクニカル指標は時間軸が長いほど、値の変化が小さくなるため、時間軸が長いテクニカル指標ほど動きが安定する。シンボル図形のサイズが大きいほど安定感があるように見えるため、シンボル図形のサイズの大きさと、テクニカル指標の時間軸の長さは感覚的にシンクロされる。
【００３４】
描画処理部１８は、複数の面に描画したシンボル図形を時間軸順に結んで３次元オブジェクトを生成する。以下、具体例を説明する。
【００３５】
図２は、ＲＳＩの値と移動平均乖離率の値の交点に、シンボル図形をプロットする様子を示す図である。縦軸はＲＳＩを示し、その数値範囲は０〜１００［％］である。横軸は移動平均線乖離率を示し、その数値範囲は−ｙ〜＋ｙ［％］である。描画処理部１８は、１分足のＲＳＩの値と１分足の移動平均線乖離率の値の交点に、１分足のシンボル図形Ｓ１を描画する。同様にして５分足のシンボル図形Ｓ２、１５分足のシンボル図形Ｓ３、１時間足のシンボル図形Ｓ４、日足のシンボル図形Ｓ５をそれぞれ描画する。時間軸が長いシンボル図形ほど大きなサイズで描画する。
【００３６】
これらのシンボル図形Ｓ１〜Ｓ５はそれぞれ異なる高さに描画される。図２では説明を分かりやすくするため、実際の３次元の売買指標表示フィールドを真上から観察し、高さ軸を捨象して描いている。図２に示す面において、シンボル図形が右上にあるほど買われすぎ状態にあることを示し、左下にあるほど売られすぎ状態にあることを示す。
【００３７】
図３は、図２のシンボル図形Ｓ１〜Ｓ５を時間軸の順番で結ぶ様子を示す図である。描画処理部１８は、隣接する時間軸のシンボル図形同士を線で結ぶ。具体的には１分足のシンボル図形Ｓ１と５分足のシンボル図形Ｓ２を結び、５分足のシンボル図形Ｓ２と１５分足のシンボル図形Ｓ３を結び、１５分足のシンボル図形Ｓ３と１時間足のシンボル図形Ｓ４を結び、１時間足のシンボル図形Ｓ４と日足のシンボル図形Ｓ５を結ぶ。描画処理部１８は、一般的な画像処理技術である、ポリゴン処理および線形補間処理を用いてシンボル図形同士を結ぶ。
【００３８】
図４は、３次元の売買指標表示フィールドの一例を示す図である。本実施の形態では３次元の売買指標表示フィールドの縦軸をＲＳＩ、横軸を移動平均乖離率、高さ軸を時間軸に設定している。図２、図３に示した手法で複数のシンボル図形Ｓ１〜Ｓ５を結んで生成される３次元オブジェクトは、図４に示すように線虫のようなオブジェクトになる。日足のシンボル図形Ｓ５側が頭になり、１分足のシンボル図形Ｓ１側が尻尾になる。なお日足のシンボル図形Ｓ５に顔を付与してもよい。
【００３９】
データ取得部１２が時価情報をリアルタイムに取得し、指標算出部１４が、取得される時価情報をもとに複数の時間軸の第１売買指標および第２売買指標の値をリアルタイムに算出できる場合、描画処理部１８は、それらの値の変化に応じて３次元オブジェクトをリアルタイムに変化させることができる。
【００４０】
テクニカル指標は、時間軸が長くなるほど指標算出の基礎となる複数の価格のレンジが広くなるため、現在の価格変化に対する感応度が低くなる。したがって、日足のシンボル図形Ｓ５の動きが一番小さくなり、１分足のシンボル図形Ｓ１の動きが一番大きくなる。図４に示す生き物のようなオブジェクトの尻尾が大きく振られることになる。特に経済指標発表直後は、為替の値および株価の動きが激しくなるため、激しく尻尾が振られることになる。
【００４１】
図４に示す３次元の売買指標表示フィールドは、端末装置２００の表示部８０に表示される。端末装置２００の制御部６０は、所定のウェブブラウザを実行し、売買指標描画装置１００の制御部１０により作成されるウェブページを表示部８０に表示させる。また端末装置２００の制御部６０は、為替または株価表示用のアプリケーションまたはウィジェットを実行して、売買指標描画装置１００の制御部１０により生成される売買指標表示フィールドを表示部８０に表示する。端末装置２００側で専用のアプリケーションを実行する場合、リアルタイム更新表示も容易である。
【００４２】
図５は、図４の売買指標表示フィールドを真上から観察した図である。売買指標表示フィールドの縦軸に第１売買指標選択フィールドＩ１が、横軸に第２売買指標選択フィールドＩ２が設けられる。ユーザは第１売買指標選択フィールドＩ１および第２売買指標選択フィールドＩ２のそれぞれにおいて、任意の売買指標を選択できる。
【００４３】
図６は、本発明の実施の形態に係る売買指標描画装置１００の動作を説明するためのフローチャートである。まずデータ取得部１２は、株や為替などの金融商品の価格情報を、図示しない配信サーバからネットワーク３００を介して取得する（Ｓ１０）。データ取得部１２は取得した価格情報を記憶部２０に保存するとともに（Ｓ１２）、指標算出部１４に渡す。
【００４４】
指標算出部１４は、データ取得部１２から渡された現在の価格情報と、記憶部２０に保存された過去の価格情報をもとに、二種類のテクニカル指標を複数の時間軸で算出する（Ｓ１４）。設定部１６は、算出されたテクニカル指標の値をそれぞれの軸に設定する（Ｓ１６）。描画処理部１８は、３次元の売買指標表示フィールドを描画する（Ｓ１８）。以上のステップＳ１０〜ステップＳ１８までの処理が、端末装置２００の表示部８０への当該売買指標表示フィールドの表示処理が終了するまで（Ｓ２０のＹ）、繰り返し実行される（Ｓ２０のＮ）。
【００４５】
以上説明したように本実施の形態によれば、機能的かつデザイン性に優れた売買支援ツールを提供できる。時間軸の異なる複数のシンボル図形を立体表示することにより、複数の時間軸における二種類のテクニカル指標の動きを直感的に把握できる。
【００４６】
このツールはトレーディングツールに最適である。短期トレーディングの場合、通常、トレーディング画面には取引している対象銘柄の短期チャートをメインに表示させている。注文を出す前に、対象銘柄の中長期トレンドを確認する投資家も多い。その際、画面切替操作に手間取ると注文タイミングが遅れやすくなる。また無線を使用した端末装置２００の場合、無線回線の遅延により画面切替が遅延し、結果として注文タイミングが遅れる場合が発生する。この点、本実施の形態によればこのような画面切替が必要ないため、注文タイミングの遅れを抑制できる。
【００４７】
上述の実施の形態ではオシレータ系のテクニカル指標であるＲＳＩ、移動平均乖離率を例に説明した。本実施の形態はトレンド系のテクニカル指標にも適用可能である。トレンド系のテクニカル指標では値が０〜１００の数値範囲に収まらないものが多い。その場合、算出される数値を０〜１００の数値範囲に正規化してもよいし、図２、図３に示したように−ｙ、＋ｙを算出して、−ｙ〜＋ｙの数値範囲を規定してもよい。
【００４８】
また本実施の形態によれば、複数のシンボル図形を結んで一つの３次元オブジェクトを生成する。これにより、これまで無味乾燥であった売買指標のチャート表示を、ペットのようなキャラクター風に表示できる。ザラ場中はその３次元オブジェクトに動きがあるため、愛らしい生き物のような振る舞いとなる。
【００４９】
このように非常に機能的なツールでありながら、見る人にかわいいと感じさせる表示が可能である。したがって、これまで投資に興味がなかった層、特に女性層への訴求力が期待できる。小口トレーダーは楽しみながら投資を行うツールとして、大口トレーダーは厳しい金融業界における癒し系ツールとして使用できる。大口トレーダーにとっても、その機能性は十分に価値があるものである。
【００５０】
以上、本発明をいくつかの実施の形態をもとに説明した。これらの実施の形態は例示であり、それらの各構成要素や各処理プロセスの組合せにいろいろな変形例が可能なこと、またそうした変形例も本発明の範囲にあることは当業者に理解されるところである。
【００５１】
上述した実施の形態では二種類の売買指標を複数の時間軸で算出し、それらを一つの３次元オブジェクトで表現する例を説明した。この点、三種類または四種類の売買指標を複数の時間軸で算出し、それらを一つの３次元オブジェクトで表現することもできる。
【００５２】
設定部１６は、三番目の売買指標の値を色の軸に設定する。描画処理部１８は、売買指標の値に応じてシンボル図形の色味を設定する。例えば、売買指標の値が大きいほど青味が増した色に設定し、売買指標の値が小さいほど赤味が増した色に設定する。設定部１６は、四番目の売買指標の値をサイズの軸に設定する。描画処理部１８は、売買指標の値に応じてシンボル図形のサイズを設定する。例えば、売買指標の値が大きいほどシンボル図形のサイズを大きく設定し、売買指標の値が小さいほどシンボル図形のサイズを小さく設定する。なお、ベースとなるサイズは、時間軸が長いほど大きく設定する。
【００５３】
なお最長期のシンボル図形（本実施の形態では日足のシンボル図形Ｓ５）に顔を付加する場合、描画処理部１８は、売買指標の値に応じて、その顔の笑顔度を設定できる。例えば、売買指標の値が大きいほど笑顔度を高く設定し、売買指標の値が小さいほど笑顔度を低く設定する。笑顔度が低い場合、泣き顔にしてもよい。
【００５４】
また上述の実施の形態では株や為替などの金融商品の売買指標を例に説明したが、金融商品以外の商品にも適用可能である。不動産、車、骨董美術品、電気製品などにも適用できる。電気製品などの価格比較サイトにも価格変動のチャートが表示されることがある。そのチャートを用いてテクニカル指標の算出が可能である。
【符号の説明】
【００５５】
５００  売買指標表示システム、  １００  売買指標描画装置、  １０  制御部、  １２  データ取得部、  １４  指標算出部、  １６  設定部、  １８  描画処理部、  ２０  記憶部、  ３０  通信部、  ２００  端末装置、  ５０  通信部、  ６０  制御部、  ７０  記憶部、  ８０  表示部、  ９０  操作部、  ３００  ネットワーク。
【図１】
2014021819.tif 000003
【図２】
2014021819.tif 000004
【図３】
2014021819.tif 000005
【図４】
2014021819.tif 000006
【図５】
2014021819.tif 000007
【図６】
2014021819.tif 000008